(57)【要約】  毛髪に赤外線を照射して位相差観察を行い、赤外線を検出可能な撮像素子により毛髪の赤外線による像を撮像し、撮像素子の撮像画像を表示装置に表示して毛髪の内部を観察することを特徴とする毛髪観察方法、試料が配置されるステージ（１２）と、ステージ（１２）に配置された試料に赤外線を照射する赤外線照射光源（１４）と、赤外線を検出可能であり、試料の赤外線による像を撮像する撮像素子（９）と、撮像素子（９）の撮像画像を表示する表示装置（５）と、を有することを特徴とする位相差顕微鏡システム、及び、スライドグラス（４ａ）上に、１本の毛髪を切断して得た複数の毛髪片（４ｂ）が、一端から他端に向けた切断順に並列に並べて配置されていることを特徴とするプレパラート（４）。
2018198908.tif 000002
【特許請求の範囲】
【請求項１】
毛髪の内部を観察する毛髪観察方法であって、
前記毛髪に赤外線を照射して位相差観察を行い、
赤外線を検出可能な撮像素子により前記毛髪の赤外線による像を撮像し、
前記撮像素子の撮像画像を表示装置に表示して前記毛髪の内部を観察することを特徴とする毛髪観察方法。
【請求項２】
前記毛髪に可視光線を照射して明視野観察を行い、
可視光線を検出可能な撮像素子により前記毛髪の可視光線による像を撮像し、
前記毛髪に赤外線を照射して位相差観察を行うことで得た第１の撮像画像と前記毛髪に可視光線を照射して明視野観察を行うことで得た第２の撮像画像とを用いて前記毛髪の内部を観察する、請求項１に記載の毛髪観察方法。
【請求項３】
前記第１の撮像画像と前記第２の撮像画像とを前記表示装置に比較可能に表示する、請求項２に記載の毛髪観察方法。
【請求項４】
前記第１の撮像画像の輝度情報に前記第２の撮像画像の色情報を加算して前記第１の撮像画像をカラー化し、カラー化された前記第１の撮像画像を前記表示装置に表示する、請求項２に記載の毛髪観察方法。
【請求項５】
前記毛髪の赤外線による像を撮像する撮像素子と前記毛髪の可視光線による像を撮像する撮像素子として同一の撮像素子を用いる、請求項２〜４の何れか１項に記載の毛髪観察方法。
【請求項６】
前記毛髪に照射する赤外線として、０．７０〜１．４５μｍの範囲内の波長にピーク強度を有する近赤外線を用いる、請求項１〜５の何れか１項に記載の毛髪観察方法。
【請求項７】
試料を位相差観察する位相差顕微鏡システムであって、
試料が配置されるステージと、
前記ステージに配置された前記試料に赤外線を照射する赤外線照射光源と、
赤外線を検出可能であり、前記試料の赤外線による像を撮像する撮像素子と、
前記撮像素子の撮像画像を表示する表示装置と、を有することを特徴とする位相差顕微鏡システム。
【請求項８】
前記ステージに配置された前記試料に可視光線を照射する可視光線照射光源と、可視光線を検出可能であり、前記試料の可視光線による像を撮像する撮像素子と、をさらに有することにより、前記試料に赤外線を照射して位相差観察を行う位相差観察モードと前記試料に可視光線を照射して明視野観察を行う明視野観察モードとに切替え可能に構成されており、
前記位相差観察モードで得た第１の撮像画像と前記明視野観察モードで得た第２の撮像画像とを前記表示装置に表示可能である、請求項７に記載の位相差顕微鏡システム。
【請求項９】
前記第１の撮像画像と前記第２の撮像画像とを記憶する記憶部を有し、前記表示装置に前記第１の撮像画像と前記第２の撮像画像とを比較可能に表示する、請求項８に記載の位相差顕微鏡システム。
【請求項１０】
前記第１の撮像画像の輝度情報に前記第２の撮像画像の色情報を加算して前記第１の撮像画像をカラー化する画像処理部を有し、前記画像処理部によりカラー化された前記第１の撮像画像を前記表示装置に表示する、請求項８に記載の位相差顕微鏡システム。
【請求項１１】
前記試料の赤外線による像を撮像する撮像素子と前記試料の可視光線による像を撮像する撮像素子とが同一の撮像素子である、請求項８〜１０の何れか１項に記載の位相差顕微鏡システム。
【請求項１２】
前記赤外線照射光源が、０．７０〜１．４５μｍの範囲内の波長にピーク強度を有する近赤外線を照射する、請求項７〜１１の何れか１項に記載の位相差顕微鏡システム。
【請求項１３】
請求項１〜６の何れか１項に記載の毛髪観察方法又は請求項７〜１２の何れか１項に記載の位相差顕微鏡システムに用いられるプレパラートであって、スライドグラス上に、１本の毛髪を切断して得た複数の毛髪片が、一端から他端に向けた切断順に並列に並べて配置されていることを特徴とするプレパラート。
【請求項１４】
前記スライドグラスに、前記毛髪片の長手方向位置を判別可能な目盛線が設けられている、請求項１３に記載のプレパラート。
【請求項１５】
前記目盛線が複数の目盛を有し、前記毛髪片と並列に配置されている、請求項１４に記載のプレパラート。
【請求項１６】
複数の前記毛髪片がカバーグラスにより前記スライドグラスに固定されている、請求項１３〜１５の何れか１項に記載のプレパラート。
【発明の詳細な説明】
【技術分野】
【０００１】
本発明は、毛髪の内部を観察するための毛髪観察方法、位相差顕微鏡システム及びプレパラートに関する。
【背景技術】
【０００２】
毛髪を光学的に観察し、その観察結果から当該毛髪ないし人体の健康状態を診断する診断方法が知られている。このような毛髪の診断を行う際には、従来、毛髪を横断面方向に切断し、超薄切して電子顕微鏡を用いてその切断面を観察することによって、毛髪の表面部分である毛小皮（キューティクル）に加えて毛皮質（コルテックス）、毛髄質（メデュラ）といった毛髪の内部構造を観察するようにしていた。【０００３】
しかし、この方法では、毛髪の切断などの多くの準備作業が必要であり、その観察を容易に行うことは困難であった。【０００４】
これに対し、位相差顕微鏡を用いることで、毛髪を切断することなく当該毛髪の内部を観察する方法が提案されている。例えは特許文献１には、光源として高輝度ＬＥＤを備えた位相差顕微鏡を用いて毛髪の内部を観察する毛髪観察方法が記載されている。
【先行技術文献】
【特許文献】
【０００５】
【特許文献１】特開２０１４−４３４０３号公報
【発明の概要】
【発明が解決しようとする課題】
【０００６】
しかしながら、上記従来の毛髪観察方法では、毛髪の内部を明瞭に可視化することができず、そのため、毛髪の内部構造を詳細に観察することができないという問題点があった。【０００７】
本発明の目的は、毛髪の内部を容易かつ詳細に観察することができる毛髪観察方法、位相差顕微鏡システム及びプレパラートを提供することにある。
【課題を解決するための手段】
【０００８】
本発明の毛髪観察方法は、毛髪の内部を観察する毛髪観察方法であって、前記毛髪に赤外線を照射して位相差観察を行い、赤外線を検出可能な撮像素子により前記毛髪の赤外線による像を撮像し、前記撮像素子の撮像画像を表示装置に表示して前記毛髪の内部を観察することを特徴とする。【０００９】
本発明の毛髪観察方法は、上記構成において、前記毛髪に可視光線を照射して明視野観察を行い、可視光線を検出可能な撮像素子により前記毛髪の可視光線による像を撮像し、前記毛髪に赤外線を照射して位相差観察を行うことで得た第１の撮像画像と前記毛髪に可視光線を照射して明視野観察を行うことで得た第２の撮像画像とを用いて前記毛髪の内部を観察することを特徴とする。【００１０】
本発明の毛髪観察方法は、上記構成において、前記第１の撮像画像と前記第２の撮像画像とを前記表示装置に比較可能に表示することを特徴とする。【００１１】
本発明の毛髪観察方法は、上記構成において、前記第１の撮像画像の輝度情報に前記第２の撮像画像の色情報を加算して前記第１の撮像画像をカラー化し、カラー化された前記第１の撮像画像を前記表示装置に表示することを特徴とする。【００１２】
本発明の毛髪観察方法は、上記構成において、前記毛髪の赤外線による像を撮像する撮像素子と前記毛髪の可視光線による像を撮像する撮像素子として同一の撮像素子を用いることを特徴とする。【００１３】
本発明の毛髪観察方法は、上記構成において、前記毛髪に照射する赤外線として、０．７０〜１．４５μｍの範囲内の波長にピーク強度を有する近赤外線を用いることを特徴とする。【００１４】
本発明の位相差顕微鏡システムは、試料を位相差観察する位相差顕微鏡システムであって、試料が配置されるステージと、前記ステージに配置された前記試料に赤外線を照射する赤外線照射光源と、赤外線を検出可能であり、前記試料の赤外線による像を撮像する撮像素子と、前記撮像素子の撮像画像を表示する表示装置と、を有することを特徴とする。【００１５】
本発明の位相差顕微鏡システムは、上記構成において、前記ステージに配置された前記試料に可視光線を照射する可視光線照射光源と、可視光線を検出可能であり、前記試料の可視光線による像を撮像する撮像素子と、をさらに有することにより、前記試料に赤外線を照射して位相差観察を行う位相差観察モードと前記試料に可視光線を照射して明視野観察を行う明視野観察モードとに切替え可能に構成されており、前記位相差観察モードで得た第１の撮像画像と前記明視野観察モードで得た第２の撮像画像とを前記表示装置に表示可能であることを特徴とする。【００１６】
本発明の位相差顕微鏡システムは、上記構成において、前記第１の撮像画像と前記第２の撮像画像とを記憶する記憶部を有し、前記表示装置に前記第１の撮像画像と前記第２の撮像画像とを比較可能に表示することを特徴とする。【００１７】
本発明の位相差顕微鏡システムは、上記構成において、前記第１の撮像画像の輝度情報に前記第２の撮像画像の色情報を加算して前記第１の撮像画像をカラー化する画像処理部を有し、前記画像処理部によりカラー化された前記第１の撮像画像を前記表示装置に表示することを特徴とする。【００１８】
本発明の位相差顕微鏡システムは、上記構成において、前記試料の赤外線による像を撮像する撮像素子と前記試料の可視光線による像を撮像する撮像素子とが同一の撮像素子であることを特徴とする。【００１９】
本発明の位相差顕微鏡システムは、上記構成において、前記赤外線照射光源が、０．７０〜１．４５μｍの範囲内の波長にピーク強度を有する近赤外線を照射することを特徴とする。【００２０】
本発明のプレパラートは、上記何れかの毛髪観察方法又は上記何れかの位相差顕微鏡システムに用いられるプレパラートであって、スライドグラス上に、１本の毛髪を切断して得た複数の毛髪片が、一端から他端に向けた切断順に並列に並べて配置されていることを特徴とする。【００２１】
本発明のプレパラートは、上記構成において、前記スライドグラスに、前記毛髪片の長手方向位置を判別可能な目盛線が設けられていることを特徴とする。【００２２】
本発明のプレパラートは、上記構成において、前記目盛線が複数の目盛を有し、前記毛髪片と並列に配置されていることを特徴とする。【００２３】
本発明のプレパラートは、上記構成において、複数の前記毛髪片がカバーグラスにより前記スライドグラスに固定されていることを特徴とする。
【発明の効果】
【００２４】
本発明によれば、毛髪の内部を容易かつ詳細に観察することができる毛髪観察方法、位相差顕微鏡システム及びプレパラートを提供することができる。
【図面の簡単な説明】
【００２５】
【図１】本発明の一実施の形態である位相差顕微鏡システムの斜視図である。
【図２】図１に示す位相差顕微鏡の側面カバーを取り外した側面図である。
【図３】図１に示す位相差顕微鏡の光学系を模式的に示す説明図である。
【図４】図１に示す位相差顕微鏡システムによる毛髪の撮像画像の一例を示す図である。
【図５】（ａ）は図１に示すプレパラートの平面図であり、（ｂ）は同側面図である。
【図６】図３に示す光学系の変形例を示す説明図である。
【発明を実施するための形態】
【００２６】
以下、図面を参照しつつ本発明の実施の形態を詳細に例示説明する。
【００２７】
本実施の形態に係る毛髪観察方法は、毛髪の内部を観察する毛髪観察方法であって、毛髪に赤外線を照射して位相差観察を行い、赤外線を検出可能な撮像素子により毛髪の赤外線による像を撮像し、撮像素子の撮像画像を表示装置に表示して毛髪の内部を観察することを特徴とする毛髪観察方法である。
【００２８】
本実施の形態に係る毛髪観察方法は、例えば、毛髪を光学的に観察し、その観察結果から当該毛髪ないし人体の健康状態を診断する診断方法において用いることができる。
【００２９】
本実施の形態に係る毛髪観察方法によれば、可視光線よりも波長の長い赤外線を毛髪に照射して毛髪を透過または毛髪表面に反射した光により当該毛髪の位相差観察を行うようにしたので、毛髪を横断面方向に切断するなどの作業を行うことなくそのままの状態で、当該毛髪の毛小皮（キューティクル）に加えて、毛皮質（コルテックス）、毛髄質（メデュラ）といった毛髪の内部の位相差観察による像を詳細に得ることができる。位相差観察により得た毛髪の赤外線による像は、直接視認することはできないが、赤外線を検出可能な撮像素子により当該像を撮像し、その撮像画像を液晶ディスプレイ等の表示装置に表示するようにしたので、位相差観察により得た毛髪の像を明瞭に可視化することができる。したがって、本実施の形態に係る毛髪観察方法によれば、毛髪の内部を容易かつ詳細に観察することができる。また、本実施の形態に係る毛髪観察方法により得た毛髪の撮像画像に基づき、毛髪ないし人体の健康状態を容易に診断することができるとともに、当該診断の精度を高めることができる。
【００３０】
また、本実施の形態に係る毛髪観察方法によれば、位相差観察を行うに際して、毛髪に対するピント位置を、例えば毛小皮と毛髄質との中間等に調整することにより、毛髪の内部構造と毛髪の表面構造とを表示装置に同時に明瞭に表示することができる。すなわち、毛髪の毛髄質と毛小皮とを同時に明瞭に可視化することができる。従来の毛髪観察方法では、毛髪の毛髄質及び毛小皮の何れか一方を選択的に観察することはできても、これらを同時に観察することはできなかったが、本実施の形態に係る毛髪観察方法によれば、上記の通り、毛髪の毛髄質と毛小皮とを同時に詳細に観察することが可能である。これにより、毛髪ないし毛髪を用いた人体の健康状態の診断を、より容易かつ確実に行うことが可能となる。
【００３１】
上記位相差観察において毛髪に照射する赤外線は、０．７０μｍ〜１．４５μｍの範囲内にある単一の波長のみを有するものであるのが好ましいが、上記範囲内の波長にピーク強度を有するものであれば、可視光線、紫外線等の赤外線以外の光線を含んでいてもよい。本実施の形態においては、赤外線のピーク波長は８６０ｎｍである。
【００３２】
また、上記位相差観察において毛髪に照射する赤外線は、０．７０μｍ〜１．４５μｍの範囲内の波長にピーク強度を有する近赤外線とするのが好ましい。この場合、０．７０μｍ〜１．４５μｍの範囲内にピーク発光波長を有するＬＥＤ光源を使用して赤外線を照射するのが好ましい。さらに、上記位相差観察において毛髪に照射する赤外線は、０．８０μｍ〜１．００μｍの範囲内の波長にピーク強度を有する近赤外線とするのがより好ましく、ＬＥＤ光源の入手の容易性を鑑みると、０．８５μｍ〜０．９５μｍの範囲内の波長にピーク強度を有する近赤外線とするのがさらに好ましい。これにより、毛髪の内部構造を位相差観察によって、さらに明瞭に可視化することができる。
【００３３】
上記位相差観察において毛髪に照射する赤外線を０．７０μｍ〜１．４５μｍの範囲内の波長にピーク強度を有する近赤外線とした場合には、特に、毛髪に対するピント位置を毛小皮と毛髄質との中間に調整することで、これら毛髄質と毛小皮とをより明瞭に可視化することができる。このような知見は、赤外線を照射した毛髪の位相差観察を行うことによって初めて得られるものであり、従来の毛髪観察方法では生じ得ない新規な課題を解決することができるものである。
【００３４】
上記した本実施の形態に係る毛髪観察方法においては、毛髪に赤外線を照射して行う位相差観察に加えて、同一の毛髪に可視光線を照射して明視野観察を行い、可視光線を検出可能な撮像素子により毛髪の可視光線による像を撮像し、毛髪に赤外線を照射して位相差観察を行うことで得た第１の撮像画像と毛髪に可視光線を照射して明視野観察を行うことで得た第２の撮像画像とを用いて毛髪の内部を観察する構成とすることもできる。
【００３５】
上記のように同一の毛髪に対して赤外線を用いた位相差観察と可視光線を用いた明視野観察とを交互に行うことにより、毛髪の内部を詳細に観察しつつ、毛髪の表面の状態、色等を観察することができる。したがって、毛髪ないし毛髪を用いた人体の健康状態の診断を、より容易かつ確実に行うことが可能となる。
【００３６】
上記のように同一の毛髪に対して位相差観察と明視野観察とを交互に行う場合には、毛髪に赤外線を照射して位相差観察を行うことで得た第１の撮像画像と、毛髪に可視光線を照射して明視野観察を行うことで得た第２の撮像画像とを、表示装置に比較可能に表示する構成とすることができる。これにより、毛髪に赤外線を照射して位相差観察を行うことで得た毛髪の内部構造と、毛髪に可視光線を照射して明視野観察を行うことで得た毛髪の表面の状態、色等とを見比べながら、毛髪の観察ないし診断を、より容易かつ確実に行うことが可能となる。
【００３７】
第１の撮像画像と第２の撮像画像とを表示装置に比較可能に表示する方法としては、例えば、表示装置に第１の撮像画像と第２の撮像画像とを左右ないし上下に並べて同時に表示する方法の他、表示装置に第１の撮像画像と第２の撮像画像とを交互に表示する方法などを採用することができるが、第１の撮像画像と第２の撮像画像とを比較可能に表示する構成であれば他の構成も採用可能である。
【００３８】
また、上記のように同一の毛髪に対して位相差観察と明視野観察とを行う場合には、毛髪に赤外線を照射して位相差観察を行うことで得た第１の撮像画像の輝度情報に、毛髪に可視光線を照射して明視野観察を行うことで得た第２の撮像画像の色情報を加算して第１の撮像画像をカラー化し、カラー化された第１の撮像画像を表示装置に表示して毛髪の観察を行う構成とすることもできる。すなわち、位相差観察においては毛髪の像は明暗のコントラストとして表現されるので、毛髪の所定部位のコントラストにおける輝度情報に、当該毛髪の所定部位の第２の撮像画像で得られた色情報を加算することにより、毛髪の所定部位の表面及び内部構造をカラー化して表現することができる。このような構成によれば、例えば、上記のように毛髪に対するピント位置を調整して毛髪の毛髄質と毛小皮とを同時に観察するようにした場合において、毛髄質と毛小皮とをより明瞭に可視化することができるので、毛髪の観察ないし診断を、より容易かつ確実に行うことが可能となる。
【００３９】
上記のように同一の毛髪に対して位相差観察と明視野観察とを行う場合には、毛髪の赤外線による像を撮像する撮像素子と毛髪の可視光線による像を撮像する撮像素子として同一の撮像素子を用いるのが好ましい。これにより、１つの撮像素子によって第１の撮像画像と第２の撮像画像との両方の画像を得ることができるので、当該毛髪観察方法を低コストかつ容易に行うことが可能となる。
【００４０】
上記した本実施の形態の毛髪観察方法は、例えば、図１〜図３に示す位相差顕微鏡システムを用いて実施することができる。
【００４１】
図１〜図３に示す本発明の一実施の形態である位相差顕微鏡システムは、光学式の位相差顕微鏡１により毛髪等の試料を視覚的に拡大して位相差観察するものである。この位相差顕微鏡１は、プラスチック等の樹脂材料ないし金属板等により形成されるケース（筐体）２を有し、このケース２の内部に光学系を収容して１つのユニットとされている。
【００４２】
位相差顕微鏡１は１つのユニットに構成されることでケース２ごと持ち運びが可能な可搬タイプとなっている。したがって、診断現場ないし店頭等の様々な場所に位相差顕微鏡１を持ち込むことで、当該場所において毛髪の観察ないし診断を行うことができる。
【００４３】
なお、位相差顕微鏡１は可搬対応に限らず、据置きタイプに構成することも可能である。
【００４４】
ケース２の側面カバー２ａには試料差込口３が設けられている。この試料差込口３にはプレパラート４が差し込まれる。位相差顕微鏡１には表示装置５が接続され、プレパラート４が差し込まれると、位相差顕微鏡１は、プレパラート４に配置されている試料の像を拡大し、試料の拡大画像をモニタ等の表示装置５に表示する。このように、この位相差顕微鏡システムは、表示装置５上に試料の拡大画像を表示して観察を行うモニタタイプとなっている。
【００４５】
なお、位相差顕微鏡１は、側面カバー２ａが垂直となり、試料差込口３に差し込まれたプレパラート４が水平となる正立姿勢で用いられる。以下の説明においては、位相差顕微鏡１が正立姿勢とされているものとする。
【００４６】
図２に示すように、位相差顕微鏡１は、ステージ装置６、赤外線照射装置７、観察光学装置８、撮像素子９および制御基板１０を備えている。
【００４７】
ステージ装置６は、ケース２に固定された支持枠体１１と、支持枠体１１に収容されたステージ１２とを備えている。支持枠体１１の側面にはケース２の試料差込口３に連なる開口１１ａが設けられており、ケース２の試料差込口３から差し込まれたプレパラート４は、この開口１１ａを通ってステージ１２に配置される。つまり、試料差込口３からプレパラート４を差し込むことで、試料がステージ１２に配置される。位相差顕微鏡１の正立姿勢においては、ステージ１２つまりステージ１２のプレパラート４が配置される面は水平である。
【００４８】
支持枠体１１には駆動ユニット１３が取り付けられている。ステージ１２は、この駆動ユニット１３により駆動されて、水平方向（ＸＹ方向）と垂直方向（Ｚ軸方向）とに移動することができる。ステージ１２が移動すると、当該ステージ１２に載せられたプレパラート４もステージ１２とともに水平方向（ＸＹ方向）と垂直方向（Ｚ軸方向）とに移動する。駆動ユニット１３としては、例えば、ＸＹＺの各方向に対応した３つの電動モータ（不図示）を備え、これらの電動モータの回転運動をねじ機構により各方向の直線運動に変換してステージ１２に伝達する構成のものを用いることができるが、他の構造の駆動ユニットを用いてもよい。
【００４９】
赤外線照射装置７は、ステージ１２に配置された試料に赤外線を照射するものであり、赤外線照射光源１４と照射光学系１５とを備えてステージ１２の上方に配置されている。本実施の形態においては、赤外線照射装置７つまり赤外線照射光源１４と照射光学系１５は、試料に向けて均一に赤外線を照射するケーラー照明の形態に構成されている。
【００５０】
赤外線照射光源１４は、例えば基板１４ａに搭載された赤外線ＬＥＤ１４ｂとして構成され、照射用ケース１６の上側ミラーユニット１８とは反対側となる端部に取り付けられている。赤外線照射光源１４は、赤外線（波長が０．７μｍ〜１．４５μｍの電磁波）を照射することができる。
【００５１】
赤外線照射光源１４は、赤外線を照射することができるものであれば、例えば赤外線電球などの他の構成のものを用いることもできる。また、赤外線照射光源１４は、０．７μｍ〜１．４５μｍの範囲内にある単一の波長の赤外性のみを照射するものであるのが好ましいが、上記範囲内の波長にピーク強度を有する赤外線を照射するものであれば、可視光線、紫外線等の赤外線以外の光線を含んだ赤外線を照射するものであってもよい。
【００５２】
また、赤外線照射光源１４は、０．７０μｍ〜１．４５μｍの範囲内の波長にピーク強度を有する近赤外線を照射するものであるのが好ましい。さらに、赤外線照射光源１４は、０．８０μｍ〜１．００μｍの範囲内の波長にピーク強度を有する近赤外線を照射するものであるのがより好ましく、ＬＥＤ光源の入手の容易性を鑑みると、０．８５μｍ〜０．９５μｍの範囲内の波長にピーク強度を有する近赤外線を照射するものであるのがさらに好ましい。本実施の形態においては、赤外線照射光源１４として、波長が８６０ｎｍの近赤外線を照射するものが用いられている。
【００５３】
照射光学系１５は、軸方向を水平にして配置される円筒状の照射用ケース１６を備えている。支持枠体１１の上方には接続アダプタ１７と上側ミラーユニット１８とが固定され、照射用ケース１６は、その一端において上側ミラーユニット１８に固定されている。
【００５４】
照射用ケース１６の内部には、赤外線照射光源１４に隣接する光源レンズ１９とフィールドレンズ２０とが配置され、光源レンズ１９とフィールドレンズ２０との間には板状の視野絞り２１が配置されている。また、ステージ１２の上方には、軸方向を垂直つまり照射用ケース１６の軸方向と直交するようにコンデンサレンズ２２が配置されている。このコンデンサレンズ２２は接続アダプタ１７に固定されている。
【００５５】
上側ミラーユニット１８には、ステージ１２に垂直な方向と照射用ケース１６の軸方向との双方に対して４５度傾けられた上側ミラー２３が設けられている。赤外線照射光源１４から照射用ケース１６内に向けて水平に照射された赤外線は、赤外線照射光源１４とステージ１２との間で、上側ミラー２３により反射されて、下方に向けて９０度曲げられる。したがって、赤外線照射光源１４から照射された赤外線は、上側ミラー２３で反射されてステージ１２に配置された試料に垂直に照射される。
【００５６】
図２、図３に示すように、観察光学系である観察光学装置８は、対物レンズ２４と倍率変更機能を有する結像レンズ２５とを備え、ステージ１２の下方に配置されている。
【００５７】
対物レンズ２４は、ステージ１２の下方側にコンデンサレンズ２２と同軸に配置されている。対物レンズ２４は支持枠体１１に固定され、コンデンサレンズ２２との距離が一定とされている。
【００５８】
結像レンズ２５は、撮像素子９が固定され、変倍操作に応じて可動する円筒状の鏡枠２５ａと、この鏡枠２５ａに同じく変倍操作に応じて軸方向に移動自在に組み合わされた円筒状の可動鏡枠２５ｂと、ケース２に固定された固定鏡枠２５ｃとを備えている。
【００５９】
支持枠体１１の下方には下側ミラーユニット２６が固定され、結像レンズ２５は、軸方向を水平として、その一端において下側ミラーユニット２６に固定されている。
【００６０】
下側ミラーユニット２６には、ステージ１２に垂直な方向と結像レンズ２５の軸方向との双方に対して４５度傾けられた下側ミラー２７が配置されている。対物レンズ２４を通過した赤外線は、この下側ミラー２７により反射されて、対物レンズ２４と結像レンズ２５との間で９０度曲げられ、結像レンズ２５の軸方向に沿った方向に向けられる。
【００６１】
固定鏡枠２５ｃには固定レンズ系２８が設けられ、可動鏡枠２５ｂには可動レンズ系２９が設けられている。また、詳細は図示しないが、一対の鏡枠２５ａ，２５ｂは互いにカム機構を介して連結されており、カム機構が図示しない電動モータにより駆動されると、双方の鏡枠２５ａと２５ｂとが軸方向に相対移動して観察光学装置８の倍率が変化するようになっている。
【００６２】
撮像素子９は、結像レンズ２５の端部、すなわち鏡枠２５ａの末端（下側ミラーユニット２６とは反対側となる端部）に固定されている。本実施の形態においては、撮像素子９は、赤外線及び可視光線を検出可能な広帯域のものとなっており、ステージ１２に配置された試料の赤外線による像及び可視光線による像の両方を撮像することができる。すなわち、本実施の形態では、試料の赤外線による像を撮像する撮像素子と、試料の可視光線による像を撮像する撮像素子として同一の撮像素子９を用いるようにしている。このような撮像素子９としては、例えば、基板３０に搭載されたＣＣＤイメージセンサ（Charge Coupled Device Image Sensor）、ＣＭＯＳイメージセンサ（Complementary Metal Oxide Semiconductor Image Sensor）等を用いることができるが、他の撮像素子を用いてもよい。
【００６３】
なお、撮像素子９は、結像レンズ２５の端部に固定する構成に限らず、対物レンズ２４に対して、光軸に沿った距離が一定となるように、ケース２の内面等に固定することもできる。
【００６４】
結像レンズ２５は対物レンズ２４を通過した試料の像を撮像素子９に結像させる。また、結像レンズ２５は、カム機構の作動により、固定レンズ系２８と可動レンズ系２９の間隔及び撮像素子９との位置関係を変化させることで、撮像素子９に結像させる像の倍率を変更することができる。
【００６５】
照射光学系１５にはリング絞り３１が配置され、観察光学装置８には位相板３２が配置されている。リング絞り３１は上側ミラー２３とコンデンサレンズ２２との間の、コンデンサレンズ２２の焦点と一致する位置に配置されている。一方、位相板３２は、対物レンズ２４の下端に固定されており、当該対物レンズ２４と下側ミラー２７との間の、リング絞り３１に対して光学的に共役となる位置に配置されている。
【００６６】
位相差顕微鏡１は、上記の通り、ケーラー照明に構成された赤外線照射装置７、リング絞り３１及び位相板３２を有することにより、ステージ１２に配置された試料を、赤外線を光源として位相差観察することができる。つまり、位相差顕微鏡１を、光源として赤外線を用いた位相差観察モードで使用することができる。位相差顕微鏡１を、光源として赤外線を用いた位相差観察モードで使用することにより、毛髪を試料としたときに、当該毛髪の内部を詳細に観察することができる。
【００６７】
対物レンズ２４は、出射光が平衡となるアフォーカル光学系となっており、出射側には位相板３２に加えて位相差リング３３が設けられ、結像レンズ２５は位相差リング３３の存在が撮像面に結像される像に影響を与えないように設計されている。また、結像レンズ２５の入射瞳位置Ｐ１は下側ミラー２７に対して対物レンズ２４の側に位置付けられており、位相板３２の共役点Ｐ２は撮像素子９の撮像面よりも図中右側、つまり結像レンズ２５とは反対側に位置付けられている。
【００６８】
コンデンサレンズ２２とリング絞り３１との間には、一対の可視光線照射光源３４が設けられている。一対の可視光線照射光源３４は、ステージ１２に配置された試料に可視光線を照射することができる。位相差顕微鏡１は、光源を、赤外線照射装置７から可視光線照射光源３４に切り替えることで、試料に可視光線を照射して明視野観察を行うことができる。このように、位相差顕微鏡１は、ステージ１２に配置された試料に赤外線を照射して位相差観察を行う位相差観察モードと、ステージ１２に配置された試料に可視光線を照射して明視野観察を行う明視野観察モードとに切替え可能に構成されている。
【００６９】
制御基板１０は、位相差顕微鏡１を構成する各装置等を制御するものであり、ケース２の内面に沿って縦に配置されている。制御基板１０には、赤外線照射装置７の赤外線照射光源１４、ステージ１２を駆動する駆動ユニット１３、結像レンズ２５を駆動する電動モータおよび撮像素子９等が接続されている。また、制御基板１０は、図示しない配線により、商用電源等の外部電源に接続可能となっている。なお、制御基板１０に電力を供給するためのバッテリ等の電源をケース２内に設けるようにしてもよい。
【００７０】
制御基板１０にはコネクタユニット３６が設けられ、コネクタユニット３６に接続されたＵＳＢケーブル等のケーブル３７により表示装置５が制御基板１０に接続されている。撮像素子９が撮像した試料の拡大画像は、制御基板１０とケーブル３７とを介して表示装置５に出力される。なお、位相差顕微鏡システムは、位相差顕微鏡１に表示装置５が一体に組み込まれた構成とすることもできる。
【００７１】
本実施の形態では、表示装置５は、ＣＰＵ（中央演算処理装置）と、メモリないしハードディスク等の記憶部５ｂとを備えてコンピュータとしての機能を有するタブレット端末（タブレットコンピュータ）に構成されている。表示装置５は液晶パネル等の表示部５ａを有し、撮像素子９により撮像した撮像画像を表示部５ａに表示することができる。
【００７２】
表示装置５に設けられた記憶部５ｂは、撮像素子９により撮像された撮像画像を記憶することができる。例えば、表示装置５は、試料を位相差観察モードで観察することにより得た第１の撮像画像と、同一の試料を明視野観察モードで観察することにより得た第２の撮像画像とを、記憶部５ｂに記憶しておくことができる。また、表示装置５は、記憶部５ｂに記憶した第１の撮像画像と第２の撮像画像とを、表示装置５の表示部５ａに表示することができる。
【００７３】
このとき、表示装置５は、記憶部５ｂに記憶した第１の撮像画像と第２の撮像画像とを、表示装置５の表示部５ａに比較可能に表示することができる。第１の撮像画像と第２の撮像画像とを表示部５ａに比較可能に表示する方法として、表示装置５は、第１の撮像画像と第２の撮像画像とを左右ないし上下に並べて同時に表示部５ａに表示することができる。あるいは、表示装置５は、表示部５ａに第１の撮像画像と第２の撮像画像とを交互に表示することができる。なお、第１の撮像画像と第２の撮像画像とを表示部５ａに比較可能に表示する方法としては、上記に限らず、種々の方法を採用することができる。
【００７４】
また、表示装置５は画像処理部５ｃを有している。画像処理部５ｃは、試料を位相差観察モードで観察することにより得た第１の撮像画像の輝度情報に、同一の試料を明視野観察モードで観察することにより得た第２の撮像画像の色情報を加算して、第１の撮像画像をカラー化することができる。そして、表示装置５は、画像処理部５ｃによりカラー化された第１の撮像画像を表示部５ａに表示することができる。
【００７５】
表示装置５の表示部５ａはタッチパネル（タッチスクリーン、タッチ画面などとも呼ばれる）となっており、表示部５ａに表示された各種操作キーを操作することで、観察モードの切り替え、倍率の変更、試料の視野位置の調整、ピンとの調整等の位相差顕微鏡１の操作ないし調整を行うことができる。
【００７６】
次に、上記した位相差顕微鏡システムを用いて毛髪の観察を行う手順について説明する。
【００７７】
まず、観察対象となる毛髪を、位相差顕微鏡１により観察可能なプレパラート４に構成し、当該プレパラート４を試料差込口３から差し込んでステージ１２に試料である毛髪を配置する。このとき、毛髪を横断面方向に切断することなく、そのままの状態でプレパラート４に構成すればよい。
【００７８】
次に、赤外線照射光源１４により、ステージ１２に配置された毛髪に赤外線を照射して位相差観察モードによる毛髪の位相差観察を行う。ステージ１２に配置された毛髪に赤外線が照射されると、試料である毛髪の赤外線による像が、観察光学装置８により拡大されて撮像素子９に結像し、当該像が撮像素子９により撮像される。撮像素子９により撮像された撮像画像は、第１の撮像画像として表示装置５の表示部５ａに表示される。これにより、表示部５ａには毛髪の毛小皮に加えて、毛皮質、毛髄質といった毛髪の内部の構造が拡大されて詳細に表示される。
【００７９】
このように、本実施の形態の位相差顕微鏡システムでは、赤外線照射光源１４によって試料である毛髪に可視光線よりも波長の長い赤外線を照射して位相差観察を行い、赤外線を検出可能な撮像素子９により当該像を撮像し、その第１の撮像画像を表示装置５の表示部５ａに表示するようにしたので、毛髪を横断面方向に切断するなどの作業を行うことなくそのままの状態で、当該毛髪の毛小皮に加えて、毛皮質、毛髄質といった毛髪の内部の構造を表示装置５に明瞭に表示することができる。したがって、毛髪の観察ないし診断を行う使用者は、表示部５ａに表示された第１の撮像画像を視認することで、毛髪の内部構造を詳細に観察することができる。このように、位相差顕微鏡１を位相差観察モードで使用することで、試料である毛髪の内部を容易かつ詳細に観察することができる。また、表示部５ａに表示された毛髪の第１の撮像画像に基づき、毛髪ないし人体の健康状態を容易に診断することができるとともに、当該診断の精度を高めることができる。
【００８０】
また、表示部５ａに表示される操作キーを操作することで、表示部５ａに表示される第１の撮像画像のピントの調整及び倍率の変更等を適宜行うことができる。
【００８１】
ここで、毛髪に対するピント位置を、試料である毛髪の毛小皮と毛髄質との中間に調整することにより、毛髪の内部と毛髪の表面とを表示装置５の表示部５ａに同時に明瞭に表示することができる。図４に、毛髪に対するピント位置を、毛髪の毛小皮と毛髄質との中間に調整した場合に表示部５ａに表示される毛髪の画像を示す。当該画像から、毛髪の内部構造である毛髄質と毛髪の表面構造である毛小皮とが、同一の画像に同時に明瞭に表示されていることが解る。このように、毛髪の毛髄質と毛小皮とを同時に詳細に観察することができることから、毛髪の観察を行う使用者は、毛髪ないし毛髪を用いた人体の健康状態の診断を、より容易かつ確実に行うことができる。
【００８２】
さらに、本実施の形態の位相差顕微鏡システムでは、赤外線照射光源１４が試料である毛髪に照射する赤外線を、０．７０μｍ〜１．４５μｍの範囲内の波長にピーク強度を有する近赤外線としたことにより、特に、毛髪に対するピント位置を毛小皮と毛髄質との中間に調整して毛髪の毛髄質と毛小皮とを同時に表示部５ａに表示する際に、これら毛髄質と毛小皮とをより明瞭に表示することができる。
【００８３】
さらに、本実施の形態の位相差顕微鏡システムは、試料である毛髪に照射する光を、赤外線照射光源１４による赤外線から可視光線照射光源３４による可視光線に切り替えることで、観察モードを位相差観察モードから明視野観察モードに切り替えることができる。そして、当該切替えにより、同一の試料つまり同一の毛髪の位相差観察による第１の撮像画像と明視野観察による第２の撮像画像とを比較可能に表示装置５の表示部５ａに表示することができる。したがって、毛髪の観察ないし診断を行う使用者は、位相差観察を行うことで得た毛髪の内部構造と明視野観察を行うことで得た毛髪の表面の状態、色等とを見比べることで、毛髪の観察ないし診断を、より容易かつ確実に行うことができる。
【００８４】
さらに、本実施の形態の位相差顕微鏡システムでは、画像処理部５ｃにより、位相差観察を行うことで得た第１の撮像画像の輝度情報に、明視野観察を行うことで得た第２の撮像画像の色情報を加算して第１の撮像画像をカラー化し、カラー化された第１の撮像画像を表示装置５の表示部５ａに表示するようにしたので、例えば、毛髪に対するピント位置を調整して毛髪の毛髄質と毛小皮とを同時に表示部５ａに表示するようにした場合において、毛髄質と毛小皮とをより明瞭に表示部５ａに表示することができる。これにより、使用者は、毛髪の観察ないし診断を、より容易かつ確実に行うことができる。
【００８５】
さらに、本実施の形態の位相差顕微鏡システムでは、毛髪の赤外線による像を撮像する撮像素子と毛髪の可視光線による像を撮像する撮像素子として同一の撮像素子９を用いることで、１つの撮像素子９によって第１の撮像画像と第２の撮像画像との両方の画像を得るようにしているので、この位相差顕微鏡システムの構成を簡素化して低コストとし、また、その操作を容易にすることができる。
【００８６】
上記した本実施の形態に係る毛髪観察方法ないし位相差顕微鏡システムにおいて使用するプレパラート４としては、図５に示す構成のものを用いるのが好ましい。なお、本実施の形態に係る毛髪観察方法ないし位相差顕微鏡システムにおいて使用するプレパラートは、図５に示す構成のものには限られない。
【００８７】
図５に示す本実施の形態に係るプレパラート４は、長方形状のスライドグラス４ａ上に、１本の毛髪を切断して得た複数の毛髪片４ｂが、一端から他端に向けた切断順に並列に並べて配置された構成とされている。図示する場合では、１本の毛髪を、一端から他端に向けて所定長さ毎に切断することで、各毛髪片４ｂの長さを、ほぼ一定の長さに揃えるようにしている。すなわち、本実施の形態に係るプレパラート４では、試料となる毛髪は、そのままスライドグラス４ａに配置されるのではなく、所定長さ毎に切断されて複数の毛髪片４ｂに分けられ、これらの毛髪片４ｂを当該毛髪の先端側の部分から毛根側の部分に向けて順序づけてスライドグラス４ａに並べて配置されている。なお、図５においては、便宜上、１つの毛髪片４ｂにのみ符号を付してあるが、スライドグラス４ａには１０本の毛髪片４ｂが配置されている。
【００８８】
本実施の形態においては、毛髪片４ｂはそれぞれ１０ｍｍの長さとされており、スライドグラス４ａの短辺に平行に配置されている。また、隣り合う毛髪片４ｂの間には所定の隙間が設けられるとともに、それぞれの毛髪片４ｂの両端の位置は、スライドグラス４ａの長辺から所定距離離れるように略一定に揃えられている。
【００８９】
なお、毛髪片４ｂの長さないし本数は任意に変更可能であり、また、毛髪片４ｂをスライドグラス４ａの長辺に平行に配置することもできる。また、スライドグラス４ａ上に配置される複数の毛髪片４ｂは、より長さの短いものを含むなど、それぞれの長さが一定に揃えられていなくてもよい。
【００９０】
スライドグラス４ａの表面には正方形状のカバーグラス４ｃが配置され、複数の毛髪片４ｂはカバーグラス４ｃにより覆われている。スライドグラス４ａとカバーグラス４ｃとの間には封入剤は封入されておらず、カバーグラス４ｃはスライド吸着の手法でスライドグラス４ａに固定されている。カバーグラス４ｃがスライドグラス４ａに固定されることで、毛髪片４ｂはスライドグラス４ａとカバーグラス４ｃとの間に挟み込まれてスライドグラス４ａに固定されている。
【００９１】
スライドグラス４ａには、目盛線４ｄが設けられている。目盛線４ｄは、スライドグラス４ａの短辺に平行な方向に延びる基準線４ｄ１と、基準線４ｄ１に垂直な方向に延びる複数本（図示する場合には３本）の目盛４ｄ２とを有している。基準線４ｄ１はスライドグラス４ａに配置される毛髪片４ｂと並列に配置され、各目盛４ｄ２は所定の間隔で設けられている。これにより、毛髪片４ｂの長手方向位置を、目盛線４ｄによって判別することができるようになっている。
【００９２】
目盛線４ｄは、スライドグラス４ａの表面にインク等を用いて直接表示する形態とすることができるが、例えば、スライドグラス４ａの表面を溝状に削って表示する形態としてもよく、また、目盛線４ｄが表示されたフィルムないしシール等をスライドグラス４ａの表面に貼り付ける形態とすることもできる。
【００９３】
なお、本実施の形態においては、目盛線４ｄには３本の目盛４ｄ２のみが設けられるが、さらに多くの目盛４ｄ２を設けるなど、目盛４ｄ２の本数は任意に変更可能である。また、スライドグラス４ａに、互いに直交する方向に延びる２本の目盛線４ｄを設けてもよい。
【００９４】
上記構成のプレパラート４を用いることで、位相差顕微鏡１により１本の毛髪を観察する際に、当該毛髪の長手方向の各部位を効率良く観察することができる。また、毛髪の観察部位を変更する際には、ステージ１２を目盛線４ｄに沿って移動させることで、当該毛髪の長手方向の各部位を効率良く観察することができる。
【００９５】
また、上記構成のプレパラート４では、スライドグラス４ａに目盛線４ｄが設けられているので、毛髪片４ｂの位相差顕微鏡１により観察されている部位の長手方向位置を、目盛線４ｄを目視することによって容易に把握することができる。ここで、複数の毛髪片４ｂは先端側から毛根側に向けて順序付けて並べて配置されているので、毛髪片４ｂの位相差顕微鏡１により観察されている部位の長手方向位置を目盛線４ｄにより把握することで、１本の毛髪の長手方向のどの部位を位相差顕微鏡１により観察しているかを容易に把握することができる。
【００９６】
上記プレパラート４に構成された１本の毛髪を位相差顕微鏡１により観察し、当該毛髪の内部構造ないし表面構造が変化した部位を発見した場合には、当該部位の毛髪の長手方向位置に基づき、当該変化が発生した時期を分析することができる。例えば、毛髄質が途切れた部位ないし毛小皮が欠落した部位などを発見した場合には、当該部位の毛髪の毛根側からの長手方向位置に基づき、当該変化が起きた時期を特定することができる。これにより、毛髪ないし人体の健康状態の診断をより詳細かつ正確に行うことが可能となる。
【００９７】
また、上記構成のプレパラート４では、スライドグラス４ａとカバーグラス４ｃとの間に封入剤を封入することなく毛髪片４ｂを固定するようにしたことにより、スライドグラス４ａとカバーグラス４ｃとの間に封入剤を封入した場合に比べて、位相差顕微鏡１により観察される毛髪の毛小皮を、毛髄質とともに表示装置５に明瞭に表示することができる。したがって、位相差顕微鏡１を用いて毛髪を観察することにより、毛髪ないし人体の健康状態の診断をより詳細かつ正確に行うことが可能となる。
【００９８】
本発明は前記実施の形態に限定されるものではなく、その要旨を逸脱しない範囲で種々変更可能である。
【００９９】
例えば、前記実施の形態では、位相差顕微鏡システムは毛髪を観察するものとされているが、毛髪以外の他の試料を観察する用途に用いることもできる。
【０１００】
また、前記実施の形態では、位相差顕微鏡１は位相差観察による試料の像と明視野観察による試料の像とを１つの撮像素子９により撮像するようにしているが、例えば図６に示すように、位相差観察による試料の像を撮像する第１の撮像素子９と、明視野観察による試料の像を撮像する第２の撮像素子９‘とを有する構成とすることもできる。この場合、第１の撮像素子９は、観察光学装置８の軸線上に配置され、第２の撮像素子９‘は、観察光学装置８の軸方向に対して上方に９０度曲がった軸線上に配置されており、これらの分岐点には光路を切り替え可能な光路切替えミラー４０が配置されている。そして、位相差顕微鏡１が位相差観察モードとなったときには光路切替えミラー４０により観察光学装置８の光路が第１の撮像素子９に向けられて第１の撮像素子９による位相差観察が行われ、位相差顕微鏡１が明視野観察モードとなったときには光路切替えミラー４０により観察光学装置８の光路が第２の撮像素子９‘に向かう方向に切り替えられて第２の撮像素子９‘による明視野差観察が行われる。光路切替えミラー４０により観察光学装置８の光路を第２の撮像素子９‘に向かう方向に切り替えて明視野観察を行う場合には、第２の撮像素子９‘による撮像画像が鏡像となるので、画像処理部５ｃなどにおいて当該撮像画像を鏡像から通常の画像に補正する。なお、位相差観察による試料の像を撮像する第１の撮像素子９としては赤外線を検知可能なモノクロセンサを用い、明視野観察による試料の像を撮像する第２の撮像素子９‘としてはＲＧＢフィルタをベイヤ配列にて組み込んだカラー撮像素子などのカラーセンサを用いることができる。また、第２の撮像素子９‘を用いて、可視光線による位相差観察を行うようにしてもよい。
【０１０１】
さらに、前記実施の形態においては、撮像画像を記憶する記憶部５ｂ及び画像処理部５ｃを表示装置５に設けるようにしているが、これに限らず、例えば位相差顕微鏡１の制御基板１０に当該機能を設けるなど、他の部位等に設けたり、あるいは独立した装置として設けたりすることもできる。
【０１０２】
さらに、前記実施の形態に係る毛髪観察方法は、人間の毛髪に限らず、動物の毛を観測する用途に適用することができる。
【０１０３】
さらに、前記実施の形態に係るプレパラート４は、カバーグラス４ｃを用いて毛髪片４ｂをスライドグラス４ａに固定するようにしているが、これに限らず、セロファンテープを用いて毛髪片４ｂをスライドグラス４ａに固定する構成とすることもできる。
【０１０４】
さらに、前記実施の形態に係るプレパラート４は、前記実施の形態に係る毛髪観察方法ないし前記実施の形態に係る位相差顕微鏡システムに限らず、他の毛髪観察方法ないし位相差顕微鏡に用いることもできる。
【符号の説明】
【０１０５】
１      位相差顕微鏡
２      ケース
２ａ    側面カバー
３      試料差込口
４      プレパラート
４ａ    スライドグラス
４ｂ    毛髪片
４ｃ    カバーグラス
４ｄ    目盛線
４ｄ１  基準線
４ｄ２  目盛
５      表示装置
５ａ    表示部
５ｂ    記憶部
５ｃ    画像処理部
６      ステージ装置
７      赤外線照射装置
８      観察光学装置
９      撮像素子
９‘    撮像素子
１０      制御基板
１１      支持枠体
１１ａ    開口
１２      ステージ
１３      駆動ユニット
１４      赤外線照射光源
１５      照射光学系
１６      照射用ケース
１７      接続アダプタ
１８      上側ミラーユニット
１９      光源レンズ
２０      フィールドレンズ
２１      視野絞り
２２      コンデンサレンズ
２３      上側ミラー
２４      対物レンズ
２５      結像レンズ
２５ａ    鏡枠
２５ｂ    可動鏡枠
２５ｃ    固定鏡枠
２６      下側ミラーユニット
２７      下側ミラー
２８      固定レンズ系
２９      可動レンズ系
３０      基板
３１      リング絞り
３２      位相板
３３      位相差リング
３４      可視光線照射光源
３６      コネクタユニット
３７      ケーブル
４０      光路切替えミラー
【図１】
2018198908.tif 000003
【図２】
2018198908.tif 000004
【図３】
2018198908.tif 000005
【図４】
2018198908.tif 000006
【図５】
2018198908.tif 000007
【図６】
2018198908.tif 000008
【国際調査報告】
2018198908.tif 000009
2018198908.tif 000010
2018198908.tif 000011
2018198908.tif 000012